(57)【要約】【課題】補償型ＰＣＢコネクタを提供する。【解決手段】２つの隣接されたプリント基板に適し、２つのソケットと、一つのジャンパより構成される。前記２つのソケットは、少なくとも一つの受入端子を含み、前記受入端子の導通部は少なくとも一つの受入端子を含み、前記受入端子の導通部は２つの対向する側壁を含む。前記２つのソケットは、隣接されたプリント回路板にそれぞれ配置することによって、両者の受入端子の導通部が共同に収容空間を形成する。ジャンパは呼応して２つのソケットに組み付け、少なくとも一つのジャンパ端子を含み、その構造は収容空間に呼応し、ブラケットと２つの弾性部とを含む。ブラケットは２つのソケットの受入端子の導通部をくぐらせ、その幅は受入端子それぞれ対向する側壁の間隔より小さい。【選択図】図６
0003156133.tif 000002
【実用新案登録請求の範囲】
【請求項１】
２つの隣接されたプリント回路板に適する補償型ＰＣＢコネクタであって、
２つのソケットは、それぞれ少なくとも一つの受入端子を含み、
前記受入端子は導通部と、接合部とを有し、前記導通部は２つの対向する側壁を含み、
前記２つのソケットは、それぞれの受入端子の接合部によって、前記２つのプリント回路板上に配置することによって、前記２つのソケットの受入端子の導通部と合わせて収容空間を形成し、
ジャンパは、対応する前記２つのソケットに組み込み、
前記ジャンパは少なくとも一つのジャンパ端子を含み、
前記ジャンパ端子は呼応して前記収容空間に収容され、かつブラケットと、２つの弾性部とを有し、
前記ブラケットは前記２つのソケットの受入端子の導通部をくぐらせ、
前記ブラケットの幅は前記２つのソケットの受入端子の対向する側壁の間隔より小さく形成し、
前記２つの弾性部はそれぞれ前記ブラケットの両端に設け、外側に突きだして延ばし、対応の受入端子の２つの対向する側壁に当接する、
補償型ＰＣＢコネクタ。
【請求項２】
前記ジャンパ端子の弾性部は２つの弾性アームからなり、前記２つの弾性アームは前記ブラケットよりそれぞれ対応する受入端子の２つの対向する側壁方向に突きだして延ばすことを特徴とする請求項１記載の補償型ＰＣＢコネクタ。
【請求項３】
前記ソケットはさらに絶縁台を含み、前記受入端子を固着することを特徴とする請求項１記載の補償型ＰＣＢコネクタ。
【請求項４】
前記絶縁台は少なくとも一つの収容溝を設け、前記受入端子を固着することを特徴とする請求項３記載の補償型ＰＣＢコネクタ。
【請求項５】
前記絶縁台は収容溝の位置に貫通孔を開けて、前記受入端子の接合部に対応して前記貫通孔よりくぐらせてピンを形成することを特徴とする請求項４記載の補償型ＰＣＢコネクタ。
【請求項６】
前記ジャンパはさらに絶縁蓋部材を含み、前記ジャンパ端子を固着することを特徴とする請求項１記載の補償型ＰＣＢコネクタ。
【請求項７】
前記絶縁蓋部材は少なくとも一つの係合部を設け、前記ジャンパ端子を固着することを特徴とする請求項６記載の補償型ＰＣＢコネクタ。
【請求項８】
前記ジャンパ端子のブラケットはさらに保持部を含み、前記係合部に対応して嵌装することを特徴とする請求項７記載の補償型ＰＣＢコネクタ。
【請求項９】
前記ソケットはさらに留め具を含み、前記絶縁台上に設け、前記絶縁蓋部材を前記絶縁台への組み付けを助けることを特徴とする請求項３記載の補償型ＰＣＢコネクタ。
【請求項１０】
前記絶縁台は少なくとも一つの組立部を設け、対応して前記留め具を前記絶縁台に固着することを特徴とする請求項９記載の補償型ＰＣＢコネクタ。
【請求項１１】
前記ジャンパはさらに固定ピンを含み、前記絶縁蓋部材上取り付け、その構造は前記絶縁台と、前記留め具に対応し、前記絶縁蓋部材を前記絶縁台への組み付けを助けることを特徴とする請求項９記載の補償型ＰＣＢコネクタ。
【請求項１２】
前記絶縁台に組み付けた前記絶縁蓋部材は、前記固定ピンと前記留め具との間に隙間を有することを特徴とする請求項１１記載の補償型ＰＣＢコネクタ。
【考案の詳細な説明】
【技術分野】
【０００１】
本考案は一種のＰＣＢコネクタに係わり、特に一種の補償型ＰＣＢコネクタに係わる。
【背景技術】
【０００２】
電子装置内部に電子回路システムが設けられて、特定機能を実現する。装置の電子回路は、通常プリント回路板に整合されて、電子回路が複数枚のプリント回路板に分散されているとき、導線またはコネクタによってプリント回路板の伝送回線ネットワークが導通されている。一例として、大型発光ダイオードは複数枚の発光ダイオードのプリント回路板を搭載し組み合わせたもので、ＰＣＢコネクタによって、隣接のプリント回路板をつなぎ合わせて、システム回路を導通する。
【０００３】
台湾特許公報Ｍ３５３５１４号（特許文献１）の一種のＰＣＢコネクタは、図１ないし４によれば、図１はこの公知技術のＰＣＢコネクタの立体概略図、図２、図３、図４はそれぞれこの公知技術のＰＣＢコネクタのソケット、ジャンパ、ジャンパ端子の立体概略図を示す。公知技術のＰＣＢコネクタ１０は２つのソケット１２、１３と一つのジャンパ１１によって構成される。ソケット１２、１３は同じ構造を有し、隣接するプリント回路板にそれぞれ配置し、それぞれに複数の受入端子１２２、１３２が設けられている。ジャンパ１１はソケット１２、１３に呼応して組み込み、複数のジャンパ端子１１１を設けて、ソケット１２、１３上に呼応する受入端子１２２、１３２を導通する。
【０００４】
ソケット１２は絶縁台１２０を有し、絶縁台１２０同士に間隔を置いて複数の収容溝１２１を設けて、受入端子１２２を配設する。ジャンパ１１は絶縁蓋部材１１０を有し、ジャンパ端子１１１は絶縁蓋部材１１０に配設する。図示の通り、受入端子１２２に座金を有し、ジャンパ端子１１１は板形状の構造である。ＰＣＢコネクタ１０の端子の接ぎあわせ構造は、受入端子１２２によってジャンパ端子１１１を固持してなる。
【先行技術文献】
【特許文献】
【０００５】
【特許文献１】台湾特許公報Ｍ３５３５１４号
【考案の概要】
【考案が解決しようとする課題】
【０００６】
プリント回路板は、機具によって切削加工されるため、実際の寸法と設計寸法に誤差が生じる。プリント回路板が直列接続されたシステムにおいて、プリント回路板の誤差は回路板同士の部品が互いにずれを生じるため、ＰＣＢコネクタを隣接するプリント回路板に配設されるソケットもずれを生じる恐れがある。しかしながら、公知技術のＰＣＢコネクタは、プリント回路板のずれによる誤差が考慮されておらず、端子による固着の設計が使用されていた。そこで、２枚のプリント回路板のソケットに相関位置のずれが大きいと、接ぎあわせたジャンパはソケットを介して、プリント回路板が牽引され、ソケット部のハンダ付けが抜けて、回路を破損してしまい、装置の性能が影響される。仮に、製品が製造段階で破損されなくても、劣化された電子回路によって、使用の寿命が短縮せれてしまう。
【０００７】
公知技術に係るＰＣＢコネクタの端子による固着設計が信頼性に影響するマイナス要因が存在しているため、本考案を提示し公知技術の欠点の克服を図る。
【課題を解決するための手段】
【０００８】
側壁を対向に設け、受入端子の導通部を構成した上、ジャンパ端子の弾性部を受入端子に当接させ、２つのソケットを導通することによって、ソケットの相関位置のずれを補償する、一種の補償型ＰＣＢコネクタを提供することを本発明の主な目的である。
【０００９】
本考案は２つの隣接されたプリント回路板の連結に適する補償型ＰＣＢコネクタを提供するものである。
【００１０】
本考案に係る補償型ＰＣＢコネクタは、２つのソケットと、一つのジャンパを含む。そのうち、２つのソケットは少なくとも受入端子を含み、前記受入端子は導通部と、接合部とを有し、前記導通部は２つの対向する側壁を含む。前記２つのソケットは、受入端子の接合部によって、前記２枚のプリント回路板上にそれぞれ連結して、前記２つのソケットの導通部が合わせて収容空間を形成する。ジャンパは、前記２つのソケットに対応し、少なくとも一つのジャンパ端子を含む。前記ジャンパ端子の構造は、収容空間に呼応して配置され、ブラケットと、弾性部とを有する。前記ブラケットは、前記２つのソケットの受入端子に備える導通部を貫通し、所定の幅を有し、その幅は前記２つのソケットの受入端子それぞれ対向する側壁の間隔より小さく設ける。前記２つの弾性部は、前記ブラケットの両端にそれぞれ設け、外側に突き出して延ばし、対応の受入端子に備える２つの対向する側壁に当接する。
【考案の効果】
【００１１】
本考案に係る補償型ＰＣＢコネクタは、対向する側壁によって、受入端子の導通部を構成した上、ジャンパ端子はブラケットを介して、外部に突き出して延ばす弾性部によって受入端子に当接させ、両端部のソケットに電気を導通する。それに伴い、相関位置のずれが補償され、プリント回路板の不適合な牽引力による変形を防止し、装置の信頼性が確保される。
【図面の簡単な説明】
【００１２】
【図１】公知技術のＰＣＢコネクタの立体概略図である。
【図２】公知技術に係るＰＣＢコネクタのソケットの立体分解図である。
【図３】公知技術に係るＰＣＢコネクタのジャンパの立体分解図である。
【図４】公知技術に係るＰＣＢコネクタのジャンパ端子の立体分解図である。
【図５】本考案の補償型ＰＣＢコネクタの応用概略図である。
【図６】本考案の補償型ＰＣＢコネクタの一実施例の立体概略図である。
【図７】本考案に係る補償型ＰＣＢコネクタのソケットの異なる視角による立体概略図である。
【図８】本考案に係る補償型ＰＣＢコネクタのソケットの異なる視角による立体概略図である。
【図９】本考案に係る補償型ＰＣＢコネクタのジャンパの立体概略図である。
【図１０】本発明に係る補償型のジャンパ端子と受入端子の立体概略図である。および
【図１１】本考案に係る補償型ＰＣＢコネクタの接ぎあわせの概略図である。
【図１２】本考案に係る補償型ＰＣＢコネクタの接ぎあわせの概略図である。
【考案を実施するための形態】
【００１３】
本考案は、接続された隣接するプリント回路板のインターフェースの電気導通に適し、プリント回路板の寸法誤差による部品ずれの誤差を補償できる。
【００１４】
まず、図５に本考案の補償型ＰＣＢコネクタの応用概略図を参照する。図示の通り、ＰＣＢコネクタ２０、２１、２２、２３はプリント回路板９０、９１、９２、９３がそれぞれ隣接する縁部に設けて、インターフェースを電気導通する。ＰＣＢコネクタ２０は２つのソケット４０、５０と、ジャンパ３０と共に構成し、ソケット４０、５０はそれぞれプリント回路板９０、９３に配置され、特定の伝送回路と電気接続する。ジャンパ３０は呼応してソケット４０、５０に組み込み、ソケット４０、５０をブリッジ接続によって、両者がそれぞれに接続された伝送線ネットワークを導通する。
【００１５】
一般として、電子装置のシステム設計は順を追って、ソケット４０、５０の配置場所をあらかじめに考案した上、回路パターンを形成した後に、プリント回路板９０、９３を製作する。しかしながら、プリント回路板に寸法誤差が存在するため、ソケット４０、５０の位置ずれは避けられない。本考案に係るＰＣＢコネクタ２０は、ジャンパ３０を介して、ソケット４０、５０の端子との接ぎあわせる構造によって、プリント回路板９０、９３の組立て誤差によるソケット４０、５０のずれを補償し、プリント回路板の不適合な結合力量による牽引を避ける。
【実施例】
【００１６】
以下は、本考案に係るＰＣＢコネクタ２０の構造的な特徴に基づいて、ずれ誤差補償の仕組みを説明する。図６ないし１０を参照し、図６は本考案に係る補償型ＰＣＢコネクタの一実施例の立体概略図、図７と図８はこの実施例に係るソケットの異なる視角の立体分解図、図９はこの実施例に係るジャンパの立体分解図、図１０はジャンパ端子と受入端子の立体分解図である。
【００１７】
ソケット４０は絶縁台４１、複数の受入端子４５と、２つの留め金４３ａ、４３ｂとを含む。絶縁台４１上は複数の矩形収容溝４２を間隔において設け、受入端子４５を固着する。受入端子４５は導電性を有し、接合部４５０と導通部４５１とを含み、接合部４５０はプリント回路板９０の伝送回路に電気接続し、導通部４５１の構造は矩形収容溝４２の外形とほぼ一致し、底板によって２つの対向する側壁４５２ａ、４５２ｂを接続する。絶縁台４１は各収容溝４２の底部に貫通孔４２０を開け、各受入端子４５の接合部４５０は貫通孔４２０をくぐらせてピンを形成して、プリント回路板９０に電気接続する。このほか、絶縁台４１はさらに組立部４４ａ、４４ｂを開けて、留め具４３ａ、４３ｂに呼応して、絶縁台４１に嵌装して固定する。
【００１８】
ソケット４０、５０も、同じ構造を有する。ソケット５０は絶縁台５１、複数の受入端子５５と、２つの留め具５３ａ、５３ｂとを含む。絶縁台５１上に、複数の矩形収容溝５２は間隔を置いて設け、受入端子５５を固着する。受入端子５５は導電性を有し、接合部５５０と導通部５５１とを含み、接合部５５０はプリント回路板９３の伝送回路と電気接続し、導通部５５１の構造は、ほぼ矩形収容溝５２の外形に一致し、底板によって、２つの対向する側壁５５２ａ、５５２ｂに連結する。絶縁台５１は各収容溝５２の底部に貫通孔５２０を開け、各受入端子５５の接合部５５０は貫通孔５２０をくぐらせてピンを形成し、プリント回路板９３に電気接続する。絶縁台５１はさらに組立部５４ａ、５４ｂを開けて、留め具５３ａ、５３ｂに呼応して、絶縁台５１に嵌装する。
【００１９】
ジャンパ３０は絶縁台３１、複数のジャンパ端子３５と、４本の固定ピン３３ａ、３３ｂ、３３ｃ、３３ｄとを含む。絶縁蓋部材３１上に、複数の係合部３２は間隔を置いて設け、受入端子３５を固着する。固定ピン３３ａ、３３ｂ、３３ｃ、３３ｄの構造は、ソケット４０、５０の絶縁台４１、５１と留め具４３ａ、４３ｂ、５３ａ、５３ｂと互い呼応して、ジャンパ３０をソケット４０、５０に固着するのを助けて、ジャンパ３０の抜け出しを防止する。
【００２０】
ジャンパ端子３５は導電性を有し、ブラケット３５０と、２つの弾性部３５１ａ、３５１ｂとを含み、弾性部３５１ａ、３５１ｂはブラケット３５０の両端に設け、両側の外部に向けて突き出して延ばす。ブラケット３５０に保持部３５２を有し、その構造は係合部３２と互いに呼応し、ジャンパ端子３５を絶縁蓋部材３１への固着を助ける。
【００２１】
ソケット４０、５０を隣接するプリント回路板９０、９３に配置することによって、受入端子４５、５５の導通部４５１、５５１と合わせて、収容空間４９を形成する。ジャンパ端子３５の構造は呼応して、収容空間４９に収容し、ブラケット３５０は導通部４５１、５５１をくぐらせる。受入端子４５、５５のずれによる誤差を補償するため、ブラケット３５０の幅は側壁４５２ａ、４５２ｂの間隔より小さく設け、それぞれ側壁４５２ａ、４５２ｂと５５２ａ、５５２ｂの方向に突き出して延ばす弾性部３５１ａ、３５１ｂを側壁４５２ａ、４５２ｂと５５２ａ、５５２ｂに当接させることによって、受入端子４５、５５を電気導通させる。
【００２２】
この図において、ジャンパ端子３５はたとえば金属製であり、プレス加工によって特殊な半円柱状構造を形成し、弾性部３５１ａ、３５２ｂはそれぞれブラケット３５０の両端に接続し、２つの弾性アームからなり、前記弾性アームはブラケット３５０より外側に曲げ延ばしする。他の実施例には、弾性翼板など多種の方法によって、弾性部３５１ａ、３５２ｂを実施することができる。
特に説明することは、ソケット４０、５０同士のずれを補償するため、ジャンパ３０の蓋部材３１の固定ピン３３ａ、３３ｂ、３３ｃ、３３ｄと絶縁台４１、５１、留め具４３ａ、４３ｂ、５３ａ、５３ｂとの相関寸法は密着設計によらず、ずれの誤差を吸収するために隙間の余裕を残しておき、ジャンパ３０をソケット４０、５０に呼応して組み込みするときに、密着設計による不適切な牽引を防止する。
【００２３】
最後に、図１１と図１２を参照し、この２つの図面は本考案に係るＰＣＢコネクタの端子の接ぎあわせ概略図であり、本考案に係るソケットのずれ補償機能を示すものである。図１１において、ソケット４０はソケット５０に正しく対応されていて、両者間にずれを存在しておらず、ジャンパ端子３５の両端は弾性に、受入端子４５、５５両側の側壁に当接する。図１２において、ソケット５０とソケット４０との間にずれｄが存在し、ジャンパ端子３５の一端は受入端子４５右側の側壁に当接し、他端は受入端子５５左側の側壁に当接する。
機構設計を熟知するものは、本考案で開示された技術概念によって、受入端子の側壁の間隔、ジャンパ端子のブラケットの幅と、弾性部等の相関寸法、ならびに当接方法を柔軟に設計できるため、ここでの詳細説明を省略する。このほか、本考案の図面は主な技術概念を説明するものであり、本考案の特許請求範囲に制限を加わるものではない。
【００２４】
以上の実施例の説明より、本考案に係る補償型ＰＣＢコネクタは、ソケットの相関位置のずれによる誤差を補償し、プリント回路板が不適切な結合力量の牽引によって変形されず、装置の信頼性を確保する。
【符号の説明】
【００２５】
１０、２０、２１、２２、２３          ＰＣＢコネクタ
１１、３０    ジャンパ
１１０、３１    絶縁蓋部材
１１１、３５    ジャンパ端子
１２、１３、４０、５０            ソケット
１２０、４１、５１絶縁台
１２１、４２、５２収容溝
１２２、１３２、４５、５５            受入端子
３２        係合部
３３ａ、３３ｂ、３３ｃ、３３ｄ        固定ピン
３５０        ブラケット
３５１ａ、３５１ｂ弾性部
３５２        保持部
４２０、５２０    貫通孔
４３ａ、４３ｂ、５３ａ、５３ｂ        留め金
４４ａ、４４ｂ、５４ａ、５４ｂ        組立部
４５０、５５０    接合部
４５１、５５１    導通部
４５２ａ、４５２ｂ、５５２ａ、５５２ｂ    側壁
４９        収容空間
９０、９１、９２、９３            プリント回路板
ｄ        ずれ
【図１】
0003156133.tif 000003
【図２】
0003156133.tif 000004
【図３】
0003156133.tif 000005
【図４】
0003156133.tif 000006
【図５】
0003156133.tif 000007
【図６】
0003156133.tif 000008
【図７】
0003156133.tif 000009
【図８】
0003156133.tif 000010
【図９】
0003156133.tif 000011
【図１０】
0003156133.tif 000012
【図１１】
0003156133.tif 000013
【図１２】
0003156133.tif 000014